(57)【特許請求の範囲】
【請求項１】
石炭焚きボイラの炉底に配置され、炉内から落下してくる石炭燃焼灰を内部に満たした水中に受けるとともに連続的に排出するドラグチェーンコンベアにおいて、常用機と予備機または予備ホッパとの間に上下動可能な可撓性シートを配置し、同シートの長手方向両端部の少なくともいずれか一方に折り重ね部を設けたことを特徴とするドラグチェーンコンベア装置。
【発明の詳細な説明】
【０００１】
【発明の属する技術分野】
本発明は、発電用ボイラに適用されて炉底灰を処理するドラグチェーンコンベア装置に関する。
【０００２】
【従来の技術】
図５ないし図７に基づいて従来の装置について説明する。なお、図５は装置の全貌を示す斜視図、図６は図５のＡ−Ａ矢視断面図、図７は図６のＢ−Ｂ矢視断面図である。
【０００３】
石炭焚きボイラにおいては、ボイラ底壁管１の下部に炉底灰処理装置水封式ドラグチェーンコンベア本体２が設置され、落下してくる石炭燃焼灰３を受け取り、かつ、連続的に排出している。
【０００４】
このドラグチェーンコンベア本体２の内部には、ボイラ底壁管１の上方から落下してくる石炭燃焼灰３が凝固して成長するのを防止するため、そしてまた、ボイラ底壁管１とドラグチェーンコンベア本体２間を外気からシールするために冷却水４が貯えられている。
【０００５】
ボイラ底壁管１の底部からはシールプレート５が垂設され、その下端部はドラグチェーンコンベア本体２内に貯えられた前記冷却水４に水浸され、これにより前記したボイラ底壁管１とドラグチェーンコンベア本体２間のシール構造が形成されることになる。
【０００６】
また、ドラグチェーンコンベア本体２は機器としての信頼性を高めるために、常用機２ａに加えて予備機２ｂまたはこれに替えて予備ホッパが設置され、常用機２ａと予備機２ｂ等との連結のために可撓性部材である可撓シート６が装備されている。
【０００７】
この可撓シート６は、その全周をドラグチェーンコンベア本体２の外板とボルト・ナット７で取り合いされ、常用機２ａと予備機２ｂの間で山形になるように支持パイプ８で支持されている。
【０００８】
従っていま、常用機２ａを予備機２ｂに切り換えるに際しては、予備機２ｂにも貯水した後、支持パイプ８を下げる。これにつれて可撓シート６の上面も下がり、同可撓シート６上面がシールプレート５下端から下まで下がると、常用機２ａと予備機２ｂの水面がつながり、ボイラシールを維持したまま常用機２ａから予備機２ｂへの切り換えが可能となる。
【０００９】
しかしこの場合、可撓シート６は長手方向全長さが同じように下がることができず、その両端部は図７に２点鎖線６ａで示すように緩やかな傾斜となる。
【００１０】
【発明が解決しようとする課題】
前記したように従来の装置では、常用機２ａから予備機２ｂへの切り換えに際して、可撓性部材である可撓シートは、その長手方向の両端部で完全に下がりきらず緩やかな傾斜となるため、移動時にシールプレート下端が引っ掛かり可撓シートの損傷が発生する。
【００１１】
この可撓シートが損傷すると、ドラグチェーンコンベアトラフ内の水が洩れて水位が下がり、ボイラシール切れ、ユニット停止にいたるおそれがあり、このことは機器に対する信頼性を大きく損なうこととなる。
【００１２】
この様な損傷が生じないように、設計段階でレベルを調整するには、スクレーパコンベアトラフが長くなり、コンベア本体重量増・チェーンコンベア駆動装置容量増等の設計となり、製品コスト増および据え付け費増となる。
【００１３】
また、配置面でみても専有面積増となり、状況によっては配置が成立しないことにもなる。
【００１４】
本発明はこの様な従来の装置における問題点を解消し、的確に作動して常用機から予備機への切り替えを確実に行い得、しかも簡便な構成にして製作、据付けコストも抑え、以て高い安定性と信頼性の得られるドラグチェーンコンベア装置を提供することを課題とするものである。
【００１５】
【課題を解決するための手段】
本発明は前記課題を解決するべくなされたもので、石炭焚きボイラの炉底に配置され、炉内から落下してくる石炭燃焼灰を内部に満たした水中に受けるとともに連続的に排出するドラグチェーンコンベアにおいて、常用機と予備機または予備ホッパとの間に上下動可能な可撓性シートを配置し、同シートの長手方向両端部の少なくともいずれか一方に折り重ね部を設けたドラグチェーンコンベア装置を提供するものである。
【００１６】
即ち、常用機と予備機または予備ホッパとの間に配置された上下動可能な可撓性シートは、長手方向両端部の少なくともいずれか一方に折り重ね部を設けているので、可撓シートの支持パイプを下げると、可撓シートはその全域に亘って自重で端部から確実に下がり、常用機から予備機または予備ホッパへの切り替え、もしくはその逆の切り替えに際し、可撓シートの損傷発生のトラブルは解消し、しかも、ドラグチェーンコンベア長さは必要最小限になり、製品費・据付費の低減および配置上での制約条件が軽減されるものである。
【００１７】
【発明の実施の形態】
本発明の実施の一形態を図１ないし図４に基づいて説明する。なお前記した従来のものと同一の部分については、図中同一の符号を付して示し、重複する説明は省略する。
【００１８】
ボイラ底壁管１下部には、ドラグチェーンコンベア本体２が配置されており、ボイラ底壁管１の上方から落下してくる石炭燃焼灰３を受け入れて一時貯留し、しかる後に連続的に排出している。
【００１９】
ドラグチェーンコンベア本体２は、常用機２ａ，予備機２ｂを並べて配置して構成されている。なお、ここでは常用機２ａに併設されるのは予備機２ｂとしたものを図示しているが、同予備機２ｂは予備ホッパで替えることもできる。
【００２０】
常用機２ａの内部には冷却水４が貯水されており、対向するボイラ底壁管１からはそれぞれシールプレート５が垂設されて、その下端部はドラグチェーンコンベア本体２の常用機２ａに貯められた冷却水４中に水浸され、ボイラ底壁管１の内方を外気からシールしている。
【００２１】
常用機２ａと予備機２ｂとの間は可撓シート６で連結され、その端部はドラグチェーンコンベア本体２の外板にガスケットを９挟んでボルト・ナット７で取り付けされている。
【００２２】
また、常用機２ａと予備機２ｂの中央位置で、同常用機２ａ、予備機２ｂの長手方向に沿って延びる支持パイプ８を配置し、同支持パイプ８により可撓シート６を支持している。
【００２３】
可撓シート６はその端部が折り曲げられており、これにより長手方向の両端部から全域に亘って端部支持パイプ８上面まで下げられるのに必要な長さを確保するようになっている。
【００２４】
さらに、可撓シート６を確実に下げるために、同可撓シート６の端部に非金属布１０が接着され、支持パイプ８に固縛されている。
【００２５】
本実施の形態のものは前記の様に構成されているので、いま、常用機２ａを予備機２ｂに切り換える時は、予備機２ｂに貯水した後、可撓シート６の支持パイプ８を下げると、可撓シート６は柔軟であること、および、端部で可撓シート６と支持パイプ８を固縛されていることにより、可撓シート６は確実に両端部から冷却水４中に自重によって下げられる。
【００２６】
常用機２ａと予備機２ｂとの間の冷却水４はつながり、その水浸内をボイラ底壁管１から垂設されたシールプレート５が移動し、ボイラ底壁管１のシール切れを起こすことなく、確実に予備機２ｂへの切り換えができる。
【００２７】
従って本実施の形態によれば、ドラグチェーンコンベア本体２の常用機２ａと予備機２ｂとの切り替えに際して、可撓シート６の損傷のトラブルが解消されるものである。
【００２８】
また、ドラグチェーンコンベア本体２の長さが必要最小限になり、製品費・据付費の低減および配置上での制約条件が軽減されるという利点を併せ持つものである。
【００２９】
以上、本発明を図示の実施の形態について説明したが、本発明はかかる実施の形態に限定されず、本発明の範囲内でその具体的構造に種々の変更を加えてよいことはいうまでもない。
【００３０】
【発明の効果】
以上本発明によれば、石炭焚きボイラの炉底に配置され、炉内から落下してくる石炭燃焼灰を内部に満たした水中に受けるとともに連続的に排出するドラグチェーンコンベア装置を対象として、常用機と予備機または予備ホッパとの間に上下動可能な可撓性シートを配置し、同シートの長手方向両端部の少なくともいずれか一方に折り重ね部を設けて構成したことにより、常用機と予備機または予備ホッパとの間に配置された上下動可能な可撓性シートは、長手方向両端部の少なくともいずれか一方に折り重ね部を設けているので、可撓シートの支持パイプを下げると、可撓シートはその全域に亘って自重で端部から確実に下がり、常用機から予備機または予備ホッパへの切り替え、もしくはその逆の切り替えに際し、可撓シートの損傷発生のトラブルは解消することができ、しかも、ドラグチェーンコンベア長さは必要最小限になり、製品費・据付費の低減および配置上での制約条件を軽減することができたものである。
【図面の簡単な説明】
【図１】本発明の実施の一形態に係るドラグチェーンコンベアの可撓シートにほるシール構成を示す説明図。
【図２】図１の実施の形態においてドラグチェーンコンベアの切り替えに際し可撓シートの状況を示す説明図。
【図３】図１のＡ−Ａ矢視断面を示す説明図。
【図４】図３のＣ部を拡大して詳細に示す説明図。
【図５】従来のドラグチェーンコンベアの全貌を示す斜視図。
【図６】図５のＡ−Ａ矢視断面を示す説明図。
【図７】図６のＢ−Ｂ矢視断面を示す説明図。
【符号の説明】
１    ボイラ底壁管
２    ドラグチェーンコンベア本体
３    石炭燃焼灰
４    冷却水
５    シールプレート
６    可撓シート
７    ボルト・ナット
８    支持パイプ
９    ガスケット
１０    非金属布
【図１】
0003664843.tif 000002
【図２】
0003664843.tif 000003
【図３】
0003664843.tif 000004
【図４】
0003664843.tif 000005
【図５】
0003664843.tif 000006
【図６】
0003664843.tif 000007
【図７】
0003664843.tif 000008